(57)【要約】【課題】非点灯時の見栄えに奥行き感を出しつつ、点灯フィーリングを良好なものとする。【解決手段】灯具１は、光源２と、光源２の前方に配置されて当該光源２から出射された光を前方へ照射させるレンズ４と、レンズ４の周囲に配置されたエクステンション３とを備える。レンズ４は、周面をエクステンション３から露出させているとともに、光源２から出射された光を拡散させる拡散面Ｐを内部に有している。【選択図】図１
2013143277.tif 000002
【特許請求の範囲】
【請求項１】
光源と、
前記光源の前方に配置され、当該光源から出射された光を前方へ照射させるレンズと、
前記レンズの周囲に配置されたカバー部材と、
を備える灯具において、
前記レンズは、周面を前記カバー部材から露出させているとともに、前記光源から出射された光を拡散させる拡散面を内部に有していることを特徴とする灯具。
【請求項２】
前記拡散面は、レンズカット加工又はシボ加工が施された面であることを特徴とする請求項１に記載の灯具。
【請求項３】
前記レンズは、当該レンズよりも薄肉に形成された複数のレンズ部材を前後方向に組み合わせて構成されていることを特徴とする請求項１又は２に記載の灯具。
【請求項４】
前記拡散面は、前記複数のレンズ部材の表面のうち、前記レンズの内部で前後方向に対向する２つの面の少なくとも一方に形成されていることを特徴とする請求項３に記載の灯具。
【発明の詳細な説明】
【技術分野】
【０００１】
本発明は、灯具に関する。
【背景技術】
【０００２】
従来、車両用の信号灯などに用いられる灯具として、非点灯時の見栄えに立体感（奥行き感）を出す目的で、厚肉のレンズを用いたものが知られている（例えば、特許文献１参照）。
【０００３】
この種の灯具は、例えば、図３に示すように、光源５０と、その前方に設けられた厚肉レンズ５１と、灯室を覆うカバー部材５２とを備えており、厚肉レンズ５１がカバー部材５２よりも前方へ突出するように配置されることによって、非点灯時の見栄えを奥行き感のあるものとしている。また、この種の灯具では、厚肉レンズ５１の入射面５１ａ又は出射面５１ｂにシボ加工などを施して、当該加工面を光源５０からの光によって発光させている。
【先行技術文献】
【特許文献】
【０００４】
【特許文献１】特開２００１−２５０４０５号公報
【発明の概要】
【発明が解決しようとする課題】
【０００５】
しかしながら、上記従来の灯具では、厚肉レンズ５１をカバー部材５２から突出させることで、上述したように非点灯時の奥行き感は得られるものの、点灯時の見栄え（点灯フィーリング）が好ましくなかった。
【０００６】
具体的には、厚肉レンズ５１の出射面５１ｂにシボ加工などを施して当該出射面５１ｂを発光させた場合には、灯具正面から見て最も手前側の面が発光することになるため、点灯フィーリングが平面的で奥行き感のないものとなってしまう。
一方、厚肉レンズ５１の入射面５１ａを発光させた場合には、灯具正面から見て奥側の面が発光するため、出射面５１ｂを発光させた場合よりは点灯フィーリングに奥行き感が出るものの、入射面５１ａがカバー部材５２よりも灯具内部に位置しているために、灯具側方から見たときに、視線がカバー部材５２に遮られて発光部（入射面５１ａ）を視認しにくくなってしまう。
【０００７】
本発明は、上記事情を鑑みてなされたもので、非点灯時の見栄えに奥行き感を出しつつ、点灯フィーリングを良好なものとすることができる灯具の提供を課題とする。
【課題を解決するための手段】
【０００８】
上記課題を解決するために、請求項１に記載の発明は、
光源と、
前記光源の前方に配置され、当該光源から出射された光を前方へ照射させるレンズと、
前記レンズの周囲に配置されたカバー部材と、
を備える灯具において、
前記レンズは、周面を前記カバー部材から露出させているとともに、前記光源から出射された光を拡散させる拡散面を内部に有していることを特徴とする。
【０００９】
請求項２に記載の発明は、請求項１に記載の灯具において、
前記拡散面は、レンズカット加工又はシボ加工が施された面であることを特徴とする。
【００１０】
請求項３に記載の発明は、請求項１又は２に記載の灯具において、
前記レンズは、当該レンズよりも薄肉に形成された複数のレンズ部材を前後方向に組み合わせて構成されていることを特徴とする。
【００１１】
請求項４に記載の発明は、請求項３に記載の灯具において、
前記拡散面は、前記複数のレンズ部材の表面のうち、前記レンズの内部で前後方向に対向する２つの面の少なくとも一方に形成されていることを特徴とする。
【発明の効果】
【００１２】
請求項１に記載の発明によれば、光源の前方に配置されたレンズが、周面をカバー部材から露出させている、つまり、カバー部材よりも前方に突出しているので、非点灯時の見栄えに奥行き感を出すことができる。
また、レンズが、光源から出射された光を拡散させる拡散面を内部に有しているので、灯具の点灯時には、この拡散面がレンズの内部で発光する。これにより、レンズの出射面（前面）を発光させた場合に比べ、奥行き感のある点灯フィーリングを得ることができるとともに、レンズの入射面（後面）を発光させた場合に比べ、発光部（拡散面）が前側に移動するため、灯具側方から発光部（拡散面）を視認しやすくすることができる。したがって、点灯フィーリングを良好なものとすることができる。
【００１３】
請求項３に記載の発明によれば、レンズが、当該レンズよりも薄肉に形成された複数のレンズ部材を前後方向に組み合わせて構成されているので、単体の厚肉レンズを用いた場合に比べ、レンズ成形時のヒケの発生を抑制することができる。
【図面の簡単な説明】
【００１４】
【図１】実施形態における灯具の要部の側断面図である。
【図２】実施形態におけるレンズの分解斜視図である。
【図３】従来の灯具の要部の側断面図である。
【発明を実施するための形態】
【００１５】
以下、本発明の実施形態について、図面を参照して説明する。
【００１６】
図１は、本実施形態における灯具１の要部の側断面図である。
なお、以下の説明では、「前」「後」「左」「右」「上」「下」との記載は、灯具１から見た方向を意味するものとする。
【００１７】
図１に示すように、灯具１は、車両用の信号灯などに用いられるものであり、光源２と、エクステンション３と、レンズ４とを備えている。
【００１８】
このうち、光源２は、例えば発光ダイオードなどの発光体であり、前方へ光を出射させるように設けられている。
エクステンション３は、本発明に係るカバー部材であり、レンズ４の周囲に配置され、レンズ４以外の部分を通じて灯室内部を視認できないように当該灯室を覆っている。
【００１９】
レンズ４は、光源２の前方に配置されており、当該光源２から出射された光を前方へ照射させる。このレンズ４は、矩形状の外観を呈するとともに前後方向に厚肉に形成されており、エクステンション３よりも前方へ突出するように配設されて、周面（側面）をエクステンション３から露出させている。
【００２０】
また、レンズ４は、後面に凹部を有する前側の第一レンズ部材４１と、略平板状に形成された後側の第二レンズ部材４２とが、第二レンズ部材４２で第一レンズ部材４１の凹部を塞ぐように前後方向に組み合わされた構造となっている。そのため、第一レンズ部材４１及び第二レンズ部材４２は、それぞれ、レンズ４全体の前後方向の厚さよりも薄肉に形成されたものとなっている。
【００２１】
具体的には、図２に示すように、第二レンズ部材４２の前面の周縁にＬ字状の係止突起４２ａ，…が立設されるとともに、この係止突起４２ａ，…を係止させるＬ字状の切欠き４１ａ，…が第一レンズ部材４１の側壁に形成されており、これら係止突起４２ａ，…及び切欠き４１ａ，…が互いに係止されるように、第一レンズ部材４１及び第二レンズ部材４２が組み合わされている。
【００２２】
また、第二レンズ部材４２の前面は、光源２から出射された光を拡散させるためのレンズカット加工又はシボ加工が施された拡散面Ｐとなっている。この拡散面Ｐは、第二レンズ部材４２が第一レンズ部材４１と組み合わされてレンズ４が構成された状態では、当該レンズ４の内部に位置している。そのため、光源２を発光させると、この光源２からの光が拡散面Ｐで拡散される結果、当該拡散面Ｐがレンズ４の内部で発光する。
【００２３】
以上の灯具１によれば、光源２の前方に配置されたレンズ４が、エクステンション３よりも前方へ突出するように配設されて、周面をエクステンション３から露出させているので、非点灯時の見栄えに奥行き感を出すことができる。
【００２４】
また、レンズ４が、光源２から出射された光を拡散させる拡散面Ｐを内部に有しているので、灯具１の点灯時（光源２の発光時）には、この拡散面Ｐがレンズ４の内部で発光する。これにより、レンズの出射面（前面）を発光させた場合に比べ、奥行き感のある点灯フィーリングを得ることができるとともに、レンズの入射面（後面）を発光させた場合に比べ、発光部（拡散面Ｐ）が前側に移動するため、灯具側方から発光部（拡散面Ｐ）を視認しやすくすることができる。したがって、点灯フィーリングを良好なものとすることができる。
【００２５】
また、レンズ４が、当該レンズ４よりも薄肉に形成された第一レンズ部材４１及び第二レンズ部材４２を前後方向に組み合わせて構成されているので、単体の厚肉レンズを用いた場合に比べ、レンズ成形時のヒケの発生を抑制することができる。
【００２６】
なお、本発明を適用可能な実施形態は、上述した実施形態に限定されることなく、本発明の趣旨を逸脱しない範囲で適宜変更可能である。
【００２７】
例えば、上記実施形態では、レンズ４が矩形状に形成されていることとしたが、このレンズ４の形状は、矩形状に限定されず、例えば球状や凸レンズ状であってもよい。
また、レンズ４は、２体のレンズ部材（第一レンズ部材４１及び第二レンズ部材４２）を組み合わせて構成されていることとしたが、３体以上のレンズ部材を組み合わせてなるものとしてもよい。
【００２８】
また、拡散面Ｐは、第一レンズ部材４１及び第二レンズ部材４２の表面のうち、レンズ４の内部で前後方向に対向する２つの面の少なくとも一方に形成されていればよく、第二レンズ部材４２の前面に代えて第一レンズ部材４１の後面に当該拡散面Ｐを形成することとしてもよいし、これら両面に形成してもよい。
【００２９】
また、本発明に係るカバー部材は、レンズ４の周囲に配置されて灯室を覆うものであれば、エクステンション３でなくともよい。
【符号の説明】
【００３０】
１        灯具
２        光源
３        エクステンション（カバー部材）
４        レンズ
４１    第一レンズ部材
４２    第二レンズ部材
Ｐ    拡散面
【図１】
2013143277.tif 000003
【図２】
2013143277.tif 000004
【図３】
2013143277.tif 000005